(57)【特許請求の範囲】
【請求項１】
相手側の電話番号に対応して、着呼時に相手側に送信するＤＩＳ信号のＦＩＦのバイト数を登録する登録手段と、
呼接続に先立って相手側の電話番号を検出する電話番号検出手段と、
前記登録手段の登録に基づいて、ＤＩＳ信号のＦＩＦのバイト数を変更して送信する送信手段と、
を有することを特徴とする通信装置。
【請求項２】
請求項１において、
着信時にＦＩＦが所定バイト数ＡのＤＩＳ信号を送信して通信エラーとなった場合、当該宛先に対応してその旨を記憶し、前記通信エラーが所定回数続いた場合、当該宛先からの着信は、ＦＩＦが所定バイト数Ｂ（Ａ＞Ｂ）のＤＩＳ信号を送信することを特徴とする通信装置。
【請求項３】
請求項２において、
着信時にＦＩＦが所定バイト数ＢのＤＩＳ信号を送信して通信エラーとなった場合、当該宛先に対応してその旨を記憶し、前記通信エラーが所定回数続いた場合、当該宛先からの着信は、ＦＩＦが所定バイト数Ｃ（Ｂ＞Ｃ）のＤＩＳ信号を送信することを特徴とする通信装置。
【請求項４】
請求項１〜３のいずれか１項において、
相手機から送信されたＤＣＳ信号のＦＩＦのバイト数、および、そのＦＩＦデータを解析し、最小とするＤＩＳ信号のＦＩＦのバイト数を決定することを特徴とする通信装置。
【請求項５】
通信するＤＩＳ信号のＦＩＦのバイト数を変更して送信する送信手段を有し、
着信時にＦＩＦが所定バイト数ＤのＤＩＳ信号を送信して通信エラーとなった場合、それ以降の所定時間以内の着信については、ＦＩＦが所定バイト数Ｅ（Ｄ＞Ｅ）のＤＩＳ信号を送信することを特徴とする通信装置。
【請求項６】
相手側の電話番号に対応して着呼時に相手側に送信するＤＩＳ信号のＦＩＦのバイト数を登録手段に登録しておき、着信時に呼接続に先立って相手側の電話番号を検出し、その相手側の電話番号に対応して登録手段に登録されているＤＩＳ信号のＦＩＦのバイト数を検索し、その検索結果に基づいて、送信するＤＩＳ信号のＦＩＦのバイト数を変更して送信することを特徴とする通信方法。
【請求項７】
着信時にＦＩＦが所定バイト数ＤのＤＩＳ信号を送信して通信エラーとなった場合、それ以降の所定時間以内の着信については、ＦＩＦが所定バイト数Ｅ（Ｄ＞Ｅ）のＤＩＳ信号を送信することを特徴とする通信方法。
【請求項８】
相手側と通信を行うためのプログラムを記憶したコンピュータ読取可能な記憶媒体において、
相手側の電話番号に対応して着呼時に相手側に送信するＤＩＳ信号のＦＩＦのバイト数を登録手段に登録しておき、着信時に呼接続に先立って相手側の電話番号を検出し、その相手側の電話番号に対応して登録手段に登録されているＤＩＳ信号のＦＩＦのバイト数を検索し、その検索結果に基づいて、送信するＤＩＳ信号のＦＩＦのバイト数を変更して送信するためのプログラムを記憶したことを特徴とするコンピュータ読取可能な記憶媒体。
【請求項９】
相手側と通信を行うためのプログラムを記憶したコンピュータ読取可能な記憶媒体において、
着信時にＦＩＦが所定バイト数ＤのＤＩＳ信号を送信して通信エラーとなった場合、それ以降の所定時間以内の着信については、ＦＩＦが所定バイト数Ｅ（Ｄ＞Ｅ）のＤＩＳ信号を送信するためのプログラムを記憶したことを特徴とするコンピュータ読取可能な記憶媒体。
【発明の詳細な説明】
【０００１】
【発明の属する技術分野】
本発明は、特にＤＩＳ信号のＦＩＦを可変長にして送信可能なファクシミリ装置等の通信装置に関するものである。
【０００２】
【従来の技術】
従来のファクシミリ装置において、その着信時に、送信するＤＩＳ信号のＦＩＦ（ファクシミリ情報フィールド）は、自機の持っている能力を相手機に通知するものであるので、常に一定のバイト数であった。
【０００３】
【発明が解決しようとする課題】
しかしながら、このＤＩＳ信号のＦＩＦは、数年前までは４バイトであり、最近では１０バイトまで増えてきている。ここで、１９８５年頃に出荷されたファクシミリ装置であれば、このファクシミリ装置が送信時にＤＩＳ信号のＦＩＦが１０バイトになることを想定していないために、ＦＩＦを用いて通信を行うと、常に通信エラーとなってしまうという欠点があった。
【０００４】
そこで本発明は、ＤＩＳ信号のＦＩＦのバイト数が異なる新旧の装置同士で確実に通信を行うことができる通信装置を提供することを目的とする。
【０００５】
【課題を解決するための手段】
本発明の第１の発明は、相手側の電話番号に対応して、着呼時に相手側に送信するＤＩＳ信号のＦＩＦのバイト数を登録する登録手段と、呼接続に先立って相手側の電話番号を検出する電話番号検出手段と、前記登録手段の登録に基づいて、ＤＩＳ信号のＦＩＦのバイト数を変更して送信する送信手段とを有することを特徴とする。
【０００６】
また本発明の第２の発明は、前記第１の発明において、着信時にＦＩＦが所定バイト数ＡのＤＩＳ信号を送信して通信エラーとなった場合、当該宛先に対応してその旨を記憶し、前記通信エラーが所定回数続いた場合、当該宛先からの着信は、ＦＩＦが所定バイト数Ｂ（Ａ＞Ｂ）のＤＩＳ信号を送信することを特徴とする。
【０００７】
また本発明の第３の発明は、前記第２の発明において、着信時にＦＩＦが所定バイト数ＢのＤＩＳ信号を送信して通信エラーとなった場合、当該宛先に対応してその旨を記憶し、前記通信エラーが所定回数続いた場合、当該宛先からの着信は、ＦＩＦが所定バイト数Ｃ（Ｂ＞Ｃ）のＤＩＳ信号を送信することを特徴とする。
【０００８】
また本発明の第４の発明は、前記第１〜３の発明において、相手機から送信されたＤＣＳ信号のＦＩＦのバイト数、および、そのＦＩＦデータを解析し、最小とするＤＩＳ信号のＦＩＦのバイト数を決定することを特徴とする。
【０００９】
また本発明の第５の発明は、通信するＤＩＳ信号のＦＩＦのバイト数を変更して送信する送信手段を有し、着信時にＦＩＦが所定バイト数ＤのＤＩＳ信号を送信して通信エラーとなった場合、それ以降の所定時間以内の着信については、ＦＩＦが所定バイト数Ｅ（Ｄ＞Ｅ）のＤＩＳ信号を送信することを特徴とする。
【００１０】
また本発明の第６の発明は、相手側の電話番号に対応して着呼時に相手側に送信するＤＩＳ信号のＦＩＦのバイト数を登録手段に登録しておき、着信時に呼接続に先立って相手側の電話番号を検出し、その相手側の電話番号に対応して登録手段に登録されているＤＩＳ信号のＦＩＦのバイト数を検索し、その検索結果に基づいて、送信するＤＩＳ信号のＦＩＦのバイト数を変更して送信することを特徴とする。
【００１１】
また本発明の第７の発明は、着信時にＦＩＦが所定バイト数ＤのＤＩＳ信号を送信して通信エラーとなった場合、それ以降の所定時間以内の着信については、ＦＩＦが所定バイト数Ｅ（Ｄ＞Ｅ）のＤＩＳ信号を送信することを特徴とする。
【００１２】
また本発明の第８の発明は、相手側と通信を行うためのプログラムを記憶したコンピュータ読取可能な記憶媒体において、相手側の電話番号に対応して着呼時に相手側に送信するＤＩＳ信号のＦＩＦのバイト数を登録手段に登録しておき、着信時に呼接続に先立って相手側の電話番号を検出し、その相手側の電話番号に対応して登録手段に登録されているＤＩＳ信号のＦＩＦのバイト数を検索し、その検索結果に基づいて、送信するＤＩＳ信号のＦＩＦのバイト数を変更して送信するためのプログラムを記憶したことを特徴とする。
【００１３】
また本発明の第９の発明は、相手側と通信を行うためのプログラムを記憶したコンピュータ読取可能な記憶媒体において、着信時にＦＩＦが所定バイト数ＤのＤＩＳ信号を送信して通信エラーとなった場合、それ以降の所定時間以内の着信については、ＦＩＦが所定バイト数Ｅ（Ｄ＞Ｅ）のＤＩＳ信号を送信するためのプログラムを記憶したことを特徴とする。
【００１４】
上述した第１〜第４、第６〜第８の発明では、少し古い機械で、通信時にＤＩＳ信号のＦＩＦが１０バイトになることを想定していない通信装置に対しても確実に通信ができるようになる。また、最新のマシンとは最高能力での通信ができる。
【００１５】
また第４の発明では、少し古い機械からの受信で、ＤＩＳ信号のＦＩＦのバイト数を少なくする時に、相手送信機の機能を制限してしまうことはなくなる。
【００１６】
また第５、第９の発明では、少し古い機械からの受信で、送信機がＤＩＳ信号のＦＩＦが１０バイトになることを想定していない場合でも、送信機がリダイヤルをすれば、通信を確実に行うことが可能になる。
【００１７】
【発明の実施の形態および実施例】
図１は、本発明の一実施例によるファクシミリ装置の構成を示すブロック図である。
【００１８】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００１９】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００２０】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００２１】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００２２】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００２３】
メモリ回路１８は、読取りデータの生情報、あるいは、符号化した情報を格納したり、また、受信情報、あるいは、復号化した情報等を格納するために使用する。
【００２４】
呼出信号検出回路２２は、回線からの呼出信号を検出する回路であり、信号線２ｂの情報を入力し、呼出信号を検出していると、信号線２２ａに信号レベル「１」の信号を出力し、呼出信号を検出していないと、信号線２２ａに信号レベル「０」の信号を出力する。
【００２５】
電話番号検出回路２４は、回線から呼出信号の間に送られる電話番号を検出する回路であり、信号線２ｂの情報を入力し、呼出信号間の電話番号情報を信号線２４ａに出力する。
【００２６】
記憶回路２６は、各宛先（呼出信号間の電話番号）に対応して現在のＤＩＳのＦＩＦのバイト数、連続通信エラー数、ＤＣＳのＦＩＦの有効バイト数を記憶する回路であり、信号線２６ａを介して入出力される。
【００２７】
制御回路２０は、本実施例のファクシミリ装置全体を制御するものであり、特に本発明の第１実施例では、記憶回路２６の記憶内容と電話番号検出回路２４によって検出される相手側の電話番号とを照合し、送信するＤＩＳ信号のＦＩＦのバイト数を変更して送信する制御を行うものである。
【００２８】
具体的には、デフォルト値として、着信時にＦＩＦが１０バイトのＤＩＳ信号を送信して通信エラーとなった場合、呼の宛先に対応してその旨を記憶し、これが３回続いたときは、その宛先からの番号は、ＦＩＦが７バイトのＤＩＳ信号を送信する。さらに着信時に、ＦＩＦが７バイトのＤＩＳ信号を送信し、通信エラーとなった場合、呼の宛先に対応してその旨を記憶し、これが３回続いた時、呼の宛先からの着信は、ＦＩＦが４バイトのＤＩＳ信号を送信する。
【００２９】
図２〜図４は、本発明の第１実施例における制御回路２０の制御の流れを示すフローチャートである。
【００３０】
まず、Ｓ０で動作を開始し、Ｓ２では、信号線２６ａを介して記憶回路２６に、全宛先に対応してＤＩＳのＦＩＦのバイト数として１０をセットし、連続通信エラー数に０をセットし、ＤＣＳのＦＩＦの有効バイト数は不明と登録する。
【００３１】
Ｓ４では、信号線２０ａに信号レベル「０」の信号を出力し、ＣＭＬをオフする。Ｓ６では、信号線２０ｄに信号レベル「０」の信号を出力し、ＡＮＳａｍ信号を送出しない。
【００３２】
Ｓ８では、信号線２２ａの情報を入力し、呼出信号を検出したか否かを判断し、呼出信号を検出するとＳ１２に進み、呼出信号を検出していないとＳ１０に進み、その他の処理をして、Ｓ４に進む。
【００３３】
Ｓ１２では、信号線２４ａより呼出信号間の電話番号を入力して記憶する。Ｓ１４では、信号線２０ａに信号レベル「１」の信号を出力してＣＭＬをオンする。Ｓ１６では、Ｔ１タイマに３５秒をセットする。
【００３４】
Ｓ１８では、Ｖ．２１のＮＳＦ／ＣＳＩ／ＤＩＳ信号の送信を行う。ここで、信号線２６ａの情報を入力し、ＤＩＳのＦＩＦのバイト数は、呼出信号間の電話番号に対応して記憶回路２６に登録されているバイト数とする。Ｓ２０では、Ｔ４タイマに３秒をセットする。
【００３５】
Ｓ２２では、Ｖ．２１のＮＳＳ／ＴＳＩ／ＤＣＳ信号を受信したか否かを判断し、Ｖ．２１のＮＳＳ／ＴＳＩ／ＤＣＳ信号を受信するとＳ２８に進み、Ｖ．２１のＮＳＳ／ＴＳＩ／ＤＣＳ信号を受信していないとＳ２４に進む。
【００３６】
Ｓ２４では、Ｔ４タイマがタイムオーバーしたか否かを判断し、タイムオーバーするとＳ２６に進み、タイムオーバーしていないとＳ２２に進む。
【００３７】
Ｓ２６では、Ｔ１タイマがタイムオーバーしたか否かを判断し、タイムオーバーするとＳ４に進み、タイムオーバーしていないとＳ１８に進む。
【００３８】
Ｓ２８では、残りのＶ．２１前手順、画信号の受信、Ｖ．２１後手順を行う。そして、Ｓ３０では、通信エラーが発生したか否かを判断し、通信エラーが発生するとＳ３４に進み、通信エラーが発生していないとＳ３２に進む。
【００３９】
Ｓ３２では、信号線２６ａを介し、記憶回路２６の今回の宛先に対応して連続通信エラー数に０をセットし、Ｓ４に進む。
【００４０】
Ｓ３４では、信号線２６ａを介し、記憶回路２６の今回の宛先に対応して連続通信エラー数の値を１つインクリする。そして、Ｓ３６では、Ｓ３４でのインクリメントした結果で、連続通信エラー数が３以上になったか否かを判断し、３以上になるとＳ３７に進み、３未満であるとＳ４に進む。
【００４１】
Ｓ３７では、信号線２６ａを介し、記憶回路２６の今回の宛先に対応して連続通信エラー数に０をセットする。
【００４２】
Ｓ３８では、信号線２６ａを介し、記憶回路２６の今回の宛先に対応して登録されているＤＩＳ信号のＦＩＦのバイト数をチェックし、１０バイトであるとＳ４０に進み、信号線２６ａを介し、記憶回路２６の今回の宛先に対応してＤＩＳ信号ののＦＩＦのバイト数に７をセットし、Ｓ４に進む。また、７バイトであるとＳ４２に進み、信号線２６ａを介し、記憶回路２６の今回の宛先に対応してＤＩＳ信号ののＦＩＦのバイト数に４をセットし、Ｓ４に進む。また、４バイトであると、そのままＳ４に進む。
【００４３】
次に本発明の第２実施例について説明する。
【００４４】
この第２実施例は、上述した第１実施例において、相手機から送信されたＤＣＳ信号のＦＩＦのバイト数およびそのＦＩＦデータを解析し、最小とするＤＩＳ信号のＦＩＦのバイト数を決定するものである。
【００４５】
図５は、この第２実施例における制御回路２０の動作のうち、上記第１実施例（図２〜図４）と異なる部分を示すフローチャートである。なお、装置の構成は図１に示すものと共通である。
【００４６】
図５において、Ｓ５０はＳ２２のＹＥＳを表わしている。そして、Ｓ５２では、ＤＣＳで送信されたＦＩＦをチェックし、拡張ビット以外で１のたっているＦＩＦまでを有効とし、この値が記憶回路２６の今回の宛先に対応して登録されているＤＣＳのＦＩＦの有効バイト数より大きければ、これを記憶する。そして、Ｓ５４でＳ２８に進む。
【００４７】
また、Ｓ５６は、上述したＳ３８のチェックで、記憶回路２６の今回の宛先に対応して登録されているＤＩＳ信号のＦＩＦのバイト数が１０バイトであった場合を表わしている。
【００４８】
そしてＳ５８では、信号線２６ａの情報を入力し、記憶回路２６の今回の宛先に対応して登録されているＤＣＳのＦＩＦの有効バイト数は８以上であるか否かを判断し、８以上であるとＳ６０（Ｓ５４）に進み、８未満であるとＳ６２（Ｓ４０）に進む。
【００４９】
Ｓ６４では、Ｓ３８のチェックで、記憶回路２６の今回の宛先に対応して登録されているＤＩＳ信号のＦＩＦのバイト数が７バイトであった場合を表わしている。
【００５０】
そしてＳ６６では、信号線２６ａの情報を入力し、記憶回路２６の今回の宛先に対応して登録されているＤＣＳのＦＩＦの有効バイト数は５以上であるか否かを判断し、５以上であるとＳ６８（Ｓ４）に進み、５未満であるとＳ７０（Ｓ４２）に進む。
【００５１】
次に本発明の第３実施例について説明する。
【００５２】
この第３実施例では、送信するＤＩＳ信号のＦＩＦのバイト数を変更して送信する手段を有するファクシミリ装置において、着信時に、ＦＩＦが所定バイト数Ｄ（例えば１０）のＤＩＳ信号を送信し、通信エラーとなった場合に、それ以降の所定時間の着信時には、ＦＩＦが所定バイトＥ（例えば、４バイト）のＤＩＳ信号を送信するものである。
【００５３】
図６、図７は、この第３実施例における制御回路２０の動作のうち、上記第１実施例（図２〜図４）と異なる部分を示すフローチャートである。なお、装置の構成は図１に示すものと共通である。
【００５４】
まず図６おいて、Ｓ８０はＳ０を表わしている。そして、Ｓ８２では、フラグＤＩＳＲＥＤをクリアする。このＤＩＳＲＥＤが１の時は、４バイトのＦＩＦのＤＩＳを送信し、ＤＩＳＲＥＤが０の時は、１０バイトのＦＩＦのＤＩＳを送信するものとする。そしてＳ８４ではＳ４に進む。
【００５５】
次にＳ８６は、Ｓ８のＹＥＳを表わしている。そしてＳ８８では、フラグＤＩＳＲＥＤが０であるか否かを判断し、ＤＩＳＲＥＤが０であるとＳ９０（Ｓ１４）に進み、ＤＩＳＲＥＤが１であるとＳ１２４に進む。
【００５６】
また、Ｓ９２はＳ１６を表し、Ｓ９４はＳ２６のＮＯを表わしている。そしてＳ９６では、ＮＳＦ／ＣＳＩ／ＤＩＳ信号の送信を行う。ここで、ＤＩＳ信号のＦＩＦのバイト数は１０とする。そしてＳ９８でＳ２０に進む。
【００５７】
また、Ｓ１００はＳ３０のＮＯを表し、この後、Ｓ１０２で直接Ｓ４に進む。すなわち、Ｓ３２の処理を省略することを表している。また、Ｓ１０４はＳ３０のＹＥＳを表わしている。そして、Ｓ１０６でフラグＤＩＳＲＥＤに１をセットし、Ｓ１０８でタイマに５分をセットした後、Ｓ１１０でＳ４に進む。すなわち、ここでは、Ｓ３４からＳ４２の処理は行わない。
【００５８】
また、Ｓ１１２はＳ１０を表わしている。そして、Ｓ１１４では、フラグＤＩＳＲＥＤが１であるか否かを判断し、１であるとＳ１１６に進み、０であるとＳ１１８（Ｓ４）に進む。
【００５９】
Ｓ１１６では、タイマがタイムオーバーしたか否かを判断し、タイムオーバーするとＳ１２０に進み、フラグＤＩＳＲＥＤに０をセットし、Ｓ１２２でＳ４に進む。また、タイムオーバーしていないとＳ１１８に進む。
【００６０】
Ｓ１２４は、Ｓ１４、Ｓ１６を表わしている。すなわち、信号線２０ａに信号レベル「１」の信号を出力してＣＭＬをオンし、Ｔ１タイマに３５秒をセットする。
【００６１】
そしてＳ１２６では、ＮＳＦ／ＣＳＩ／ＤＩＳ信号の送信を行う。ここで、ＤＩＳ信号のＦＩＦのバイト数は４とする。
【００６２】
次にＳ１２８ではＳ２０の処理を行う。すなわち、Ｔ４タイマに３秒をセットする。
【００６３】
そして、Ｓ１３０ではＳ２２の判断、すなわち、Ｖ．２１のＮＳＳ／ＴＳＩ／ＤＣＳ信号を受信したか否かを判断し、Ｖ．２１のＮＳＳ／ＴＳＩ／ＤＣＳ信号を受信するとＳ１３８（Ｓ２８）に進み、残りのＶ．２１前手順、画信号の受信、Ｖ．２１後手順を行い、Ｓ１４０でＳ４に進む。
【００６４】
また、Ｓ１３０でＶ．２１のＮＳＳ／ＴＳＩ／ＤＣＳ信号を受信していないと、Ｓ１３２（Ｓ２４）に進み、Ｔ４タイマがタイムオーバーしたか否かを判断し、タイムオーバーするとＳ１３４（Ｓ２６）に進み、タイムオーバーしていないとＳ１３０（Ｓ２２）に進む。
【００６５】
Ｓ１３４（Ｓ２６）では、Ｔ１タイマがタイムオーバーしたか否かを判断し、タイムオーバーするとＳ１３６（Ｓ４）に進み、タイムオーバーしていないとＳ１２６に進む。
【００６６】
なお、以上のような制御回路の動作は、制御回路内のＣＰＵが制御回路内のＲＯＭやＲＡＭ等に記憶したプログラムに基づいて行われるが、本発明は、このようなプログラムをフロッピディスクやハードディスク、あるいは光磁気ディスクやＣＤ−ＲＯＭ等の外部記憶媒体に格納し、これを専用の読取装置によって制御回路内に取り込み、これを制御回路内のＣＰＵで実行するようにしてもよい。
【００６７】
また、以上の実施例では、スタンドアローンタイプのファクシミリ装置を例に説明したが、本発明はこれに限らず、例えばコピー機能や電子ファイル機能、さらにはデータ処理機能を通信機能と複合させた総合的なデータ処理システムにおけるデータ通信制御に適用し得るものである。また、読取回路や記録回路と分離された通信装置においても同様に適用し得るものである。
【００６８】
【発明の効果】
以上説明したように本出願の第１〜第４、第６〜第８の発明によれば、ＤＩＳ信号のＦＩＦが異なる通信装置についても、ＤＩＳ信号のＦＩＦを用いた通信を確実に行うことができ、また、拡張したバイト数のＦＩＦを用いた最新の装置間では最高能力での通信を行うことができる効果がある。
【００６９】
また本出願の第４の発明によれば、少し古い通信装置からの受信で、ＤＩＳ信号のＦＩＦのバイト数を少なくする場合に、相手送信機の機能を制限することなく実行でき、最大限の通信を行うことができる。
【００７０】
また本出願の第５、第９の発明によれば、ＤＩＳ信号のＦＩＦが異なる通信装置についても、送信機がリダイヤルをすれば、確実に通信を行うことが可能になる。
【図面の簡単な説明】
【図１】本発明の一実施例を示すブロック図である。
【図２】本発明の第１実施例による動作を示すフローチャートである。
【図３】上記第１実施例による動作を示すフローチャートである。
【図４】上記第１実施例による動作を示すフローチャートである。
【図５】本発明の第２実施例による動作を示すフローチャートである。
【図６】本発明の第３実施例による動作を示すフローチャートである。
【図７】上記第３実施例による動作を示すフローチャートである。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…呼出信号検出回路、
２４…電話番号検出回路、
２６…記憶回路。
【図１】
0003571889.tif 000002
【図２】
0003571889.tif 000003
【図３】
0003571889.tif 000004
【図４】
0003571889.tif 000005
【図５】
0003571889.tif 000006
【図６】
0003571889.tif 000007
【図７】
0003571889.tif 000008